(57)【要約】【課題】２つの基板のそれぞれに形成した配向軸の方向が、所定の方向（例えば平行方向）からずれてしまった場合は、黒表示において光漏れが発生し、所望する透過率が得られずにコントラストが低下してしまうという課題がある。【解決手段】配向軸間のずれ角度「φｔ」に対して係数「ｋ」を乗算し、その乗算値「ｋ×φｔ」を２等分した角度「ｋ×φｔ／２」分、角度「φｔ」の２等分線ＣＬを基準として両側に開いた２つの方向を、それぞれ上偏光板６０の透過軸φｐ３と下偏光板５０の吸収軸φａ１の方向とするのである。こうすることによって、黒表示における光漏れを抑制することができる。この結果、コントラストの低下を抑制することができる。【選択図】図４
2010139803.tif 000002
【特許請求の範囲】
【請求項１】
第１の基板と、
前記第１の基板と対向する第２の基板と、
前記第１の基板と前記第２の基板に挟持された液晶層と、
前記第１の基板の前記液晶層側に設けられ、配向軸を有する第１の配向膜と、
前記第２の基板の前記液晶層側に設けられ、前記第１の配向膜の前記配向軸に対して交差する配向軸を有する第２の配向膜と、
前記第１の基板の前記液晶層と反対側に配設され、透過軸を有する第１の偏光板と、
前記第２の基板の前記液晶層と反対側に配設され、前記第１の偏光板の前記透過軸に対して交差した吸収軸を有する第２の偏光板と、
を具備する液晶装置であって、
前記第１の配向膜の前記配向軸と前記第２の配向膜の前記配向軸とが交差して成す第１の鋭角の角度範囲は、前記第１の偏光板の前記透過軸と前記第２の偏光板の前記吸収軸とが交差して成す第２の鋭角の角度範囲内に設定されており、
前記第１の偏光板の透過軸は、前記第２の配向膜の前記配向軸から前記第１の鋭角を成す前記第１の配向膜の前記配向軸を越えた方向に配置され、前記第２の偏光板の吸収軸は、前記第２の配向膜の前記配向軸に対して前記第１の配向膜の前記配向軸が配置される方向と反対の方向に配置されていることを特徴とする液晶装置。
【請求項２】
請求項１に記載の液晶装置であって、
前記第１の鋭角の角度中心線と、前記第２の鋭角の角度中心線とは、略同一方向であることを特徴とする液晶装置。
【請求項３】
請求項１または２に記載の液晶装置であって、
前記第２の鋭角は、７．５度以下であることを特徴とする液晶装置。
【請求項４】
請求項１ないし３のいずれか一項に記載の液晶装置であって、
前記第１の鋭角に対する前記第２の鋭角の角度比ｋは、前記液晶層における液晶分子の屈折率異方性を△ｎ、前記液晶層の厚さをｄ、とすると、
ｋ＝ａ×ｅｘｐ（ｂ×△ｎｄ）＋ｃ
（ａ，ｂ，ｃは、前記液晶層を通過する光の波長に応じて定まる定数）
を満たす値であることを特徴とする液晶装置。
【請求項５】
請求項１ないし４のいずれか一項に記載の液晶装置であって、
前記第１の基板または前記第２の基板のいずれかには、当該第１の基板もしくは第２の基板に沿う方向の電界を印加して前記液晶層における液晶分子の配列方向を制御する一対の電極が設けられていることを特徴とする液晶装置。
【請求項６】
請求項５に記載の液晶装置であって、
前記一対の電極のうちの少なくとも一方の電極は、スリット状の開口部が設けられた形状もしくは櫛歯状の形状を有することを特徴とする液晶装置。
【請求項７】
請求項１ないし６のいずれか一項に記載の液晶装置であって、
前記液晶装置を照射する光が、前記液晶層を１回通過して表示を行う透過表示領域と、前記液晶層を２回通過して表示を行う反射表示領域とが設けられていることを特徴とする液晶装置。
【請求項８】
請求項１ないし７のいずれか一項に記載の液晶装置であって、
照明光を射出する光源を備え、
前記照明光は、前記第１の偏光板から前記第２の偏光板に向かう方向、または前記第２の偏光板から前記第１の偏光板に向かう方向、のいずれかの方向に照射されることを特徴とする液晶装置。
【請求項９】
請求項８に記載の液晶装置であって、
前記光源はＬＥＤ光源であることを特徴とする液晶装置。
【請求項１０】
請求項１ないし９のいずれか一項に記載の液晶装置を備えた電子機器。
【発明の詳細な説明】
【技術分野】
【０００１】
本発明は、液晶装置、およびこの液晶装置を備えた電子機器に関する。
【背景技術】
【０００２】
２つの基板に挟持された液晶を有し、この液晶の配向方向を電界によって制御することによって、液晶を通過する光源からの光を変調し、光の透過率を制御して表示を行う液晶装置が、種々の電子機器に用いられている。このような透過率の制御を行う際に用いられる光は、通常偏光光が利用される。従って、光源からの光が入射する側の偏光板の光軸、２つの基板において液晶側に形成されるそれぞれの配向軸、光が射出する側の偏光板の光軸（透過軸または吸収軸）を、それぞれ所定の方向に正しく向くようにして組み合わせる必要がある。
【０００３】
とりわけ、広い視野角特性を有することから近年多く用いられている、基板に沿う横方向の電界を液晶に印加して透過率を制御する横電界方式（例えばＦＦＳ（Fringe-Field Switching）方式やＩＰＳ（In-Plane Switching）方式）の液晶装置においては、２つの偏光板の光軸や、２つの基板の液晶側にそれぞれ形成される配向軸を精密に合わせることが肝要である。
【０００４】
軸の合わせ方法に関する技術については、既に多くの技術が開示されている。例えば、特許文献１あるいは特許文献２には、偏光板の透過軸と基板の配向軸とを一致させる技術が提案されている。
【０００５】
【特許文献１】特開２００２−１４３４７号公報
【特許文献２】特開２００３−１０７４５２号公報
【発明の開示】
【発明が解決しようとする課題】
【０００６】
しかしながら、特許文献１や特許文献２に開示された技術を用いて、例えば偏光板の透過軸と配向軸とを一致させるべく配向軸が形成された基板に偏光板を貼り付けることとしても、２つの基板のそれぞれに形成した配向軸の方向が、所定の方向（例えば平行方向）からずれてしまった場合は、黒表示において光漏れが発生し、所望する透過率が得られずにコントラストが低下してしまうという課題がある。
【０００７】
例えば、横電界方式の液晶装置において、液晶に対して電界を印加しない状態では透過率が最小となる黒表示を行うように偏光板をクロスニコル配置としたとき、配向軸は互いに平行に形成する必要がある。しかしながら、液晶を挟んで２つの基板を貼り合わせたとき、配向軸は、その形成方法（例えばラビング処理など）に応じて少なからず方向ばらつきが発生する。これに起因して配向軸は互いに平行状態とはならず、平面視において時計方向もしくは反時計方向に捩れてツイストする状態で形成される。その結果、配向軸のツイストに応じて液晶もツイストする。そして、ツイストする液晶に一方の偏光板によって直線偏光となった光が入射すると、ツイストに応じて偏光状態が変化するため、入射した直線偏光は楕円偏光となって他方の偏光板に対して入射する。そのため、他方の偏光板においてカットされない光が発生することになるので黒表示において光漏れが発生し、所望する透過率が得られないことになるのである。
【課題を解決するための手段】
【０００８】
本発明は、上述の課題の少なくとも一部を解決するためになされたものであり、以下の形態または適用例として実現することが可能である。
【０００９】
［適用例１］第１の基板と、前記第１の基板と対向する第２の基板と、前記第１の基板と前記第２の基板に挟持された液晶層と、前記第１の基板の前記液晶層側に設けられ、配向軸を有する第１の配向膜と、前記第２の基板の前記液晶層側に設けられ、前記第１の配向膜の前記配向軸に対して交差する配向軸を有する第２の配向膜と、前記第１の基板の前記液晶層と反対側に配設され、透過軸を有する第１の偏光板と、前記第２の基板の前記液晶層と反対側に配設され、前記第１の偏光板の前記透過軸に対して交差した吸収軸を有する第２の偏光板と、を具備する液晶装置であって、前記第１の配向膜の前記配向軸と前記第２の配向膜の前記配向軸とが交差して成す第１の鋭角の角度範囲は、前記第１の偏光板の前記透過軸と前記第２の偏光板の前記吸収軸とが交差して成す第２の鋭角の角度範囲内に設定されており、前記第１の偏光板の透過軸は、前記第２の配向膜の前記配向軸から前記第１の鋭角を成す前記第１の配向膜の前記配向軸を越えた方向に配置され、前記第２の偏光板の吸収軸は、前記第２の配向膜の前記配向軸に対して前記第１の配向膜の前記配向軸が配置される方向と反対の方向に配置されていることを特徴とする。
【００１０】
この構成によれば、配向膜間における配向軸の設定方向に対するずれに伴う液晶のツイストに起因して生ずる黒表示の光漏れを、設定方向に対して配向軸のずれ角度よりも大きなずれ角度を有する偏光板によって抑制することができる。この結果、コントラストの低下を抑制することができる。
【００１１】
［適用例２］上記液晶装置であって、前記第１の鋭角の角度中心線と、前記第２の鋭角の角度中心線とは、略同一方向であることを特徴とする。
【００１２】
この構成によれば、配向膜間における配向軸の設定方向に対するずれに伴う液晶のツイストに起因して生ずる黒表示の光漏れを、極小化するように抑制することができる。
【００１３】
［適用例３］上記液晶装置であって、前記第２の鋭角は、７．５度以下であることを特徴とする。
【００１４】
この構成によれば、実際の液晶装置の製造工程において想定される配向軸の設定方向に対するずれ量に対して、黒表示の光漏れを、実質的に抑制することができる。
【００１５】
［適用例４］上記液晶装置であって、前記第１の鋭角に対する前記第２の鋭角の角度比ｋは、前記液晶層における液晶分子の屈折率異方性を△ｎ、前記液晶層の厚さをｄ、とすると、ｋ＝ａ×ｅｘｐ（ｂ×△ｎｄ）＋ｃ（ａ，ｂ，ｃは、前記液晶層を通過する光の波長に応じて定まる定数）を満たす値であることを特徴とする。
【００１６】
この構成によれば、設定方向に対する偏光板のずれ角度を、実際に液晶装置に用いる液晶材料と液晶の層厚に応じた値とするので、配向膜間における配向軸の設定方向に対するずれに伴う液晶のツイストに起因して生ずる黒表示の光漏れを、極小化するように抑制することができる。
【００１７】
［適用例５］上記液晶装置であって、前記第１の基板または前記第２の基板のいずれかには、当該第１の基板もしくは第２の基板に沿う方向の電界を印加して前記液晶層における液晶分子の配列方向を制御する一対の電極が設けられていることを特徴とする。
【００１８】
この構成によれば、液晶が配向する方向を、第１の基板もしくは第２の基板に沿う方向すなわち水平方向において変更する横電界駆動方式の液晶装置において、配向膜間における配向軸の設定方向に対するずれに伴う液晶のツイストに起因して生ずる黒表示の光漏れを、抑制することができる。
【００１９】
［適用例６］上記液晶装置であって、前記一対の電極のうちの少なくとも一方の電極は、スリット状の開口部が設けられた形状もしくは櫛歯状の形状を有することを特徴とする。
【００２０】
この構成によれば、横電界駆動方式の液晶装置として、視野角が広いＦＦＳ方式、もしくはＩＰＳ方式の液晶装置が採用できる。
【００２１】
［適用例７］上記液晶装置であって、前記液晶装置を照射する光が、前記液晶層を１回通過して表示を行う透過表示領域と、前記液晶層を２回通過して表示を行う反射表示領域とが設けられていることを特徴とする。
【００２２】
この構成によれば、外光下においても表示内容を視認することができるとともに、黒表示の光漏れを抑制することができる液晶装置を実現することができる。
【００２３】
［適用例８］上記液晶装置であって、照明光を射出する光源を備え、前記照明光は、前記第１の偏光板から前記第２の偏光板に向かう方向、または前記第２の偏光板から前記第１の偏光板に向かう方向、のいずれかの方向に照射されることを特徴とする。
【００２４】
光源からの照明光が入射する側の偏光板の透過軸が、配向膜の配向軸方向に対して略平行方向であっても略直交方向であっても、照明光が射出する側の偏光板の透過軸が、照明光が入射する側の偏光板の透過軸と略直交する配置であれば、同様に黒表示が得られる。従って、この構成のように、光源からの照明光が、２つの偏光板のどちらの側から照射されても、黒表示の光漏れを抑制することができる液晶装置を実現することができる。
【００２５】
［適用例９］上記液晶装置であって、前記光源はＬＥＤ光源であることを特徴とする。
【００２６】
この構成によれば、一般的に発光寿命の長いＬＥＤを光源とする液晶装置において、黒表示の光漏れを抑制することができる。
【００２７】
［適用例１０］上記液晶装置を備えた電子機器である。
【００２８】
この機器によれば、黒表示の光漏れを抑制することによって、コントラストの低下が抑制された表示を行うことができる電子機器を提供することができる。
【発明を実施するための最良の形態】
【００２９】
以下、本発明を実施例に基づいて説明する。なお、以降の説明において用いる図面は、説明のために誇張して図示している場合もあり、必ずしも実際の大きさや長さを示すものでないことは言うまでもない。
【００３０】
（液晶装置の構成）
図１は、本発明の一実施例となる液晶装置１００について模式的に示した説明図である。液晶装置１００は、第１の基板としての基板１０と、第２の基板としての基板３０とが、図示しない液晶層を封止状態で挟んで、同じく図示しないシール材によって貼り合わされた構造を有している。
【００３１】
基板１０は、その外周部分に、データ駆動回路１１０と走査駆動回路１２０、および電極端子１３０とが、ガラスや石英あるいは樹脂などの透光性を有する平板上（図面表面側）に形成されたものである。また、データ駆動回路１１０からはデータ線１１１が、走査駆動回路１２０からは走査線１２１が、電極端子１３０からは共通配線１３１が、それぞれ図１に示したように配線されている。そして、各画素に対応してデータ線１１１と走査線１２１との交点付近にそれぞれ図示しない薄膜トランジスターが形成されている。薄膜トランジスターは、走査線１２１によって供給される電圧によってオン・オフが制御され、薄膜トランジスターがオンしたとき、データ線１１１によって供給される電圧が、画素毎に設けられた１つの電極（これを「画素電極」と称す）に導通印加されるように構成されている。
【００３２】
電極端子１３０は、これに接続された共通配線１３１によって、各画素に同じ電圧（例えば接地電位の電圧）を、画素毎に設けられたもう１つの電極（これを「共通電極」と称す）に供給する。従って、各画素において、薄膜トランジスターのオンによって、データ線１１１によって供給される電圧と共通配線１３１によって供給される電圧との間の電圧によって、画素に対応する液晶層に対して基板１０に略平行な方向を有する所定の電界を発生させるように構成されている。すなわち、液晶装置１００は、液晶層に対して基板１０に略平行な方向の電界を発生させて液晶分子の配向制御を行い、液晶層を通る光を変調するＦＦＳ（Fringe-Field Switching）方式と呼ばれる横電界方式の液晶装置である。
【００３３】
次に、基板３０は、光変調を行って画像を表示する対象領域を画素Ｓとし、その他の領域部分（例えば隣り合う画素Ｓ同士の間の領域）を遮光するように、ガラスや石英または樹脂などの透光性を有する平板上（図面裏側）に遮光層が形成されている。
【００３４】
本実施例では、画素Ｓの領域は矩形形状であり、基板１０に対して基板３０と反対側に設けられた照明手段（不図示）からの光を透過する透過表示領域として形成されている。また、画素Ｓの領域には、所定の波長を透過するフィルター層が形成されている。従って、画素Ｓ間が遮光層によって遮光され、フィルター層によって特定される波長を有する光を、画素Ｓの領域から射出することによって、画像を表示する。
【００３５】
次に、液晶装置１００の構成を図２および図３を用いて詳しく説明する。図２は１つの画素Ｓに関する構成を示した平面図で、基板３０側から見た基板１０を、基板３０を透視状態で図示している。また、図３は、画素Ｓの周辺構成を示した断面図である。なお、以降の説明において、基板１０と基板３０との混同を避けるために、基板１０を素子基板１０、基板３０を対向基板３０と呼称することにする。
【００３６】
図２に示したように、素子基板１０には、データ線１１１と走査線１２１とが形成されている。そして、この両配線の交点付近には、データ線１１１の配線が延伸して形成されたソース電極２０ｓと、チャネル領域が形成された半導体層２０ａと、走査線１２１が兼ねるゲート電極２０ｇと、ドレイン電極２０ｄと、からなる薄膜トランジスター２０が形成されている。そして、ドレイン電極２０ｄは、コンタクトホールＣＨ１によって、画素電極１１と結線されている。従って、走査線１２１すなわちゲート電極２０ｇに供給される電圧によって、薄膜トランジスター２０がオンすると、データ線１１１に供給された電圧が、ドレイン電極２０ｄを介して画素電極１１に印加される。画素電極１１は、画素Ｓの領域を含む大きさの電極で形成され、図示するようにＦＦＳ方式の駆動を行うための複数のスリットＳＬが形成されている。
【００３７】
また、素子基板１０には、共通配線１３１が形成されている。そして、コンタクトホールＣＨ２を介してこの共通配線１３１と電気的に接続された共通電極１３が、画素Ｓの領域を含む大きさのベタ電極で形成されている。
【００３８】
このように形成された画素電極１１と共通電極１３との間に印加される電圧によって、前述したようにＦＦＳ方式による液晶分子の配向制御が行われる。なお、画素電極１１および共通電極１３は、導電性を有する透光性の材料（例えばＩＴＯ）で形成されている。
【００３９】
次に、液晶装置１００の構成について、図３に示した断面図を用いてさらに詳しく説明する。図３は、図２におけるＢ−Ｂ断面を示した模式図である。図示するように、液晶装置１００は、素子基板１０と対向基板３０とによって、所定の厚さを有する液晶層４０を挟持した構成を有し、さらに素子基板１０の液晶層４０と反対側には偏光板５０が、対向基板３０の液晶層４０と反対側には偏光板６０が、それぞれ貼り付けられている。
【００４０】
まず、対向基板３０について説明する。対向基板３０は、本実施例ではガラス材料からなる平板３１に対して、液晶層４０側の面に、遮光層３２、フィルター層３３、オーバーコート層３４、配向膜３９が順次形成されたものである。
【００４１】
遮光層３２は金属膜（例えばクロム）や樹脂からなる。フィルター層３３は、例えばアクリル樹脂等からなり、画素で表示する色に対応する色材を含有している。オーバーコート層３４は、遮光層３２とフィルター層３３とを覆うように形成されている。オーバーコート層３４は、透光性を有する樹脂からなる。
【００４２】
配向膜３９は、オーバーコート層３４を覆うように形成されている。配向膜３９は、例えばポリイミド樹脂からなる。配向膜３９の表面にはラビングなどによって所定方向に配向処理が施されている。なお、配向処理されて形成された配向方向を以降「配向軸」と称する。
【００４３】
次に、素子基板１０について説明する。素子基板１０は、本実施例ではガラス材料からなる平板１４に対して、液晶層４０側の面に、走査線１２１（ゲート電極２０ｇ）および共通配線１３１、ゲート絶縁層１５、半導体層２０ａ、データ線１１１（ソース電極２０ｓ）およびドレイン電極２０ｄ、層間絶縁層１６、平坦化層１７、共通電極１３、絶縁層１８、画素電極１１、配向膜１９が順次形成されたものである。
【００４４】
走査線１２１（ゲート電極２０ｇ）および共通配線１３１、データ線１１１（ソース電極２０ｓ）、およびドレイン電極２０ｄは、金属材料（例えばアルミニウム）によって形成されている。また、ゲート絶縁層１５は例えば酸化シリコンが、半導体層２０ａは、アモルファスシリコンやポリシリコン等の半導体が、層間絶縁層１６は例えば窒化シリコンが、それぞれ用いられ、透光性を有する層として形成される。
【００４５】
平坦化層１７は、透光性を有する樹脂（例えばポジ型あるいはネガ型の感光性を有するアクリル樹脂や、ＵＶ硬化型樹脂）が用いられて形成される。さらに、平坦化層１７の液晶層４０側に位置する平坦面には、画素Ｓの領域に相当する領域に渡って、透光性を有する導電材料（例えばＩＴＯ（Indium Tin Oxide））からなる共通電極１３が形成されている。共通電極１３は、コンタクトホールＣＨ２によって共通配線１３１と電気的に接続されている。
【００４６】
共通電極１３を覆うように形成された絶縁層１８は、例えば酸化シリコンや窒化シリコンなどが用いられ、透光性を有する透明層として形成される。この絶縁層１８を挟んで、画素Ｓの領域に相当する領域に渡って、透光性を有する導電材料（例えばＩＴＯ）からなる画素電極１１が形成されている。画素電極１１は、コンタクトホールＣＨ１によってドレイン電極２０ｄと電気的に接続されている。
【００４７】
配向膜１９は、画素電極１１の液晶層４０に接する側であって、少なくとも画素電極１１を覆うように形成されている。配向膜１９は、例えばポリイミド樹脂からなる。そして、配向膜３９と同様に、ラビングなどによって配向処理が施され、所定方向に配向軸が形成されている。
【００４８】
本実施例の液晶装置１００は、さらに偏光板５０側（図面下側）に光源９０と導光部材９１とを含む照明手段（バックライト）が設けられ、光源９０からの光を偏光板５０に照射し、偏光板６０から射出する光の量を制御して画像を表示する透過型の表示装置として構成されている。そして、画素電極１１と共通電極１３に電圧を印加しない状態では黒表示、つまり光源９０からの光をカットするノーマリーブラック表示となるように構成されている。
【００４９】
さて、本実施例の液晶装置１００においては、前述したように製造上発生し得る配向膜１９の配向軸と配向膜３９の配向軸との方向ずれに対して、偏光板５０の透過軸と偏光板６０の透過軸とが所定の方向に位置するように貼り付けることによって、黒表示における光漏れの発生を抑制する。これを、図４を用いて説明する。
【００５０】
（偏光板の貼り付け方法）
図４は、液晶装置１００において、配向膜１９と配向膜３９の配向軸、および偏光板５０と偏光板６０の透過軸について、設定された方向を示す説明図である。図４（ａ）は、液晶装置１００の構成部材のうち、偏光板５０、配向膜１９、配向膜３９、偏光板６０を示し、それぞれに形成される透過軸および配向軸の方向を矢印で示した斜視図である。また、図４（ｂ）は、それらを平面的に重ねた状態、すなわち液晶装置１００を偏光板６０側から平面視した状態において、透過軸および配向軸を示した説明図である。なお、説明の都合上、偏光板５０を下偏光板、偏光板６０を上偏光板とも呼称する。
【００５１】
本実施例では、液晶装置１００は、液晶層に電界を印加しない状態では黒表示となるノーマリーブラック表示を行う。従って、図４（ａ）に示すように、下偏光板５０の透過軸φｐ１は、ノーマリーブラック表示となるように上偏光板６０の透過軸φｐ３と直交するように設定される。そして、配向軸ＨＤ１および配向軸ＨＤ３の方向は、下偏光板５０の吸収軸φａ１と平行な方向に設定される。もとより、下偏光板５０において吸収軸φａ１は、透過軸φｐ１に対して直交する方向となる。
【００５２】
さて、配向膜１９の配向軸ＨＤ１と配向膜３９の配向軸ＨＤ３とは、図４（ａ）に示すように本来互いに向きが反対方向であって平行である反平行方向の配向軸となるように設定される。しかしながら、配向軸の形成ばらつき等に起因して、図４（ｂ）に示すように平行方向からずれる。ここで、配向軸ＨＤ１の方向と配向軸ＨＤ３の方向とがずれてなす鋭角を「φｔ」としたとき、本実施例では、角度「φｔ」に対して後述する係数「ｋ」を乗算し、その乗算値「ｋ×φｔ」を２等分した角度「ｋ×φｔ／２」分、角度「φｔ」の２等分線ＣＬを基準として両側に開いた２つの方向を、それぞれ上偏光板６０の透過軸φｐ３と下偏光板５０の吸収軸φａ１の方向とする。こうすることによって、黒表示における光漏れを抑制しようというものである。
【００５３】
ここで、図４（ｂ）において、図面上時計方向への回転方向をプラス方向とすると、対向基板３０に設けられた配向膜３９の配向軸ＨＤ３をプラス方向に角度φｔ回転（ツイスト）した方向が、素子基板１０に設けられた配向膜１９の配向軸ＨＤ１の方向と平行（反平行）である。そこで、本実施例では、同様に、対向基板３０に貼り付けられた上偏光板６０の透過軸φｐ３をプラス方向に角度「ｋ×φｔ」回転した方向が、素子基板１０に貼り付けられた下偏光板５０の吸収軸φａ１となるように、上偏光板６０、下偏光板５０をそれぞれ貼り付けるのである。
【００５４】
なお、本実施例では、偏光板の貼り付けに際して基準となる方向（例えば素子基板１０の端面方向）を基準軸ＫＺ（０度）とする。従って、この基準軸ＫＺの角度を「０度」とし、時計方向まわりの角度をプラス、反時計方向まわりの角度をマイナスで表記する。また、２等分線ＣＬと基準軸ＫＺとがなす角度（鋭角）を「φｃ」とする。
【００５５】
本実施例における偏光板の貼り付け方法による効果の一例を図５に示した。図５は、基準軸ＫＺに対する上偏光板６０と下偏光板５０との貼り付け角度に対するコントラストコンター（等高線）図であり、図５（ａ）は、配向軸ＨＤ１と配向軸ＨＤ３との間に角度ずれがない（φｔ＝０度）状態において、図５（ｂ）は、基準軸ＫＺと平行な配向軸ＨＤ１に対して時計方向に配向軸ＨＤ３が１度ずれた（φｔ＝＋１度）状態において、それぞれ偏光板の貼り付け方向とコントラストとの関係を示したものである。なお、略楕円形状で示した領域の中心に近いほどコントラストが高くなることを示している。
【００５６】
図５（ａ）に示すように、配向軸間に角度ずれがない場合は、最も高いコントラスト部分つまり黒表示において最も光漏れが抑制される部分（図中網掛け部分の中心）は、上偏光板６０の透過軸φｐ３方向が０度、下偏光板５０の透過軸φｐ１方向が９０度の状態である。
【００５７】
これに対して、配向軸間に１度の角度ずれがある場合は、最も高いコントラスト部分つまり黒表示において最も光漏れが抑制される部分（図中網掛け部分の中心）は、図５（ｂ）に示すように、上偏光板６０の透過軸φｐ３方向が−０．５度、下偏光板５０の透過軸φｐ１方向が９１．５度の状態である。そこで、図４（ｂ）の説明から、角度φｔは１度であり、角度φｃは角度φｔを２等分した角度であるので０．５度であるので、０．５−ｋ×φｔ／２＝−０．５の関係式から演算して係数ｋ＝２となる。
【００５８】
このように図５に示した一例では、係数ｋを２とし、これを角度φｔに乗算した角度分、配向軸のツイスト方向（時計方向か反時計方向か）と同じツイスト方向であって、角度φｔを広げるように、上下偏光板間の透過軸を９０度以上にずらして貼り付けることによって、黒表示における光漏れを抑制し、コントラストの高い表示を得ることができることがわかる。
【００５９】
（係数ｋの値の決定方法について）
図５において、ｋ＝２の場合を一例として黒表示の光漏れを抑制できることを説明したが、ここで、本実施例ではどのように係数ｋの値を決定するのかについて説明する。本実施例の液晶装置１００では、横電界によって液晶分子の方向を水平面内で変更させることによって、液晶層４０を通過する光の偏光状態を変化させて透過率を制御する。このため、液晶層４０の屈折率異方性△ｎと厚さｄとの積であるリタデーション△ｎｄに応じて光学特性（透過率など）が異なることになり、係数ｋの値に影響する。そこで、本実施例では、係数ｋの値を決定するために、予め液晶装置１００において想定されるリタデーション△ｎｄの範囲について、図６を用いて説明する。
【００６０】
図６（ａ）は、画素Ｓの開口率やフィルター層の透過率を考慮しない状態において、液晶層４０のリタデーション△ｎｄ（横軸）と透過率（縦軸）との関係を示したグラフである。本実施例では、実際の液晶装置１００において実用的に必要とされる透過率が２０％以上であることから、リタデーション△ｎｄを３００ｎｍ以上とすることが望ましい。
【００６１】
一方、液晶装置１００の動画表示の際の液晶の応答速度は、ＦＦＳ方式の場合、液晶層４０の厚さｄに相関しており、厚さｄが大きい（△ｎｄが大きい）ほど応答速度が遅くなる。そこで、実際の液晶装置１００において動画を表示して表示性能の評価（例えば、ＭＰＲＴ（motion picture response time）評価や、検査者による尾引き表示の主観評価など）を行った。
【００６２】
図６（ｂ）は、液晶層４０の各リタデーション△ｎｄの値に対する表示性能の評価結果との関係を表にして示した図である。ここで、「○」は表示特性が望ましいレベルであること、「△」は表示特性が許容レベルであること、「×」は表示特性が許容レベル以下であること、をそれぞれ表している。従って、図６（ｂ）の結果から、リタデーション△ｎｄは３９０ｎｍ以下であることが望ましい。
【００６３】
以上の結果、液晶装置１００における液晶層４０のリタデーション△ｎｄの範囲は、応答特性と透過率の双方の条件から３００ｎｍ≦△ｎｄ≦３９０ｎｍとすることが好ましい。従って、本実施例における液晶装置１００では、係数ｋの値の決定に際して、液晶層４０のリタデーション△ｎｄの範囲を３００ｎｍから３９０ｎｍまでの範囲に特定するものとする。
【００６４】
さて、周知のように液晶装置１００における光学特性はジョーンズ行列法によって計算される。そこで、特定されたリタデーション△ｎｄの範囲において、液晶層４０を挟む配向軸ＨＤ１と配向軸ＨＤ３との角度ずれによって液晶層４０がねじれている場合、ジョーンズ行列法によって計算された偏光板の最適なずらし角度は、液晶層４０のねじれ角度、つまり配向軸ＨＤ１と配向軸ＨＤ３との間の角度φｔとの角度にほぼ比例する。その比例係数すなわち角度比が係数ｋである。
【００６５】
係数ｋは、液晶層４０のリタデーション△ｎｄに加えて、液晶装置１００を照射する光源からの光つまり照明光の波長λにも依存する。前述した液晶層４０のリタデーション△ｎｄの特定範囲において、照明光の波長λが、４０５ｎｍから６５０ｎｍまでの間の特定の波長に対して求められた係数ｋの値を、図７に示した。図示するように、液晶装置１００で用いられるほぼ可視光の領域において、係数ｋはｋ＞１となる。従って、上偏光板６０と下偏光板５０とのずらし角は、配向軸ＨＤ１と配向軸ＨＤ３とのずれ角以上とすることが好ましいのである。なお、図７において、液晶層４０のリタデーション△ｎｄが３００ｎｍで波長λが６５０ｎｍにおける係数ｋの値は、桁数が他と異なる大きな値のため、ここでは「ＥＥ」と表記している。
【００６６】
ところで、本実施例の液晶装置１００に用いる光源９０は、発光寿命の長いＬＥＤ（発光ダイオード）光源であるものとする。このようなＬＥＤ光源からの光において、輝度に支配的な影響を与える波長λは、４７０ｎｍ≦λ≦６５０ｎｍであることが判明している。これは、図８に示したように、最大視感度波長が５５５ｎｍであり、このときの視感度を１００としたとき、視感度が１０以上、つまり比視感度が１／１０までの範囲の波長が輝度に支配的な影響を与えると考えられるからである。従って、本実施例では、波長４７０ｎｍから波長６５０ｎｍにおいて、係数ｋの値を決定するようにすればよい。
【００６７】
そこで、図７に示した係数ｋの値のうち、波長λが４７０ｎｍから６５０ｎｍの値に対してフィッティングを行う。本実施例では、係数ｋは、次式（１）でフィッティングが可能である。
ｋ＝ａ×ｅｘｐ（ｂ×△ｎｄ）＋ｃ    …（１）
【００６８】
ここで、ａ、ｂ、ｃは波長λによって定まる定数であり、図９にその値の一例を示した。図９に示したように、液晶層４０として想定したリタデーション△ｎｄの値３００ｎｍから３９０ｎｍに対して、例えば、照明光の波長λが４７０ｎｍのときは、定数ａは「３１９．２３」、定数ｂは「−０．０１９１６１７」、定数ｃは「１．０５１５３」である。また、照射光の波長λが６５０ｎｍのときは、定数ａは「１．６８３２１Ｅ＋２０」、定数ｂは「−０．１３２」、定数ｃは「３．１９」である。また、照明光の波長λが４７０ｎｍと６５０ｎｍの間の波長であった場合は、各定数ａ，ｂ，ｃは波長に応じてそれぞれの中間の値を有し、例えば波長λが５３２ｎｍのときは、定数ａは「２５０５０」、定数ｂは「−０．０３１」、定数ｃは「１．３５」である。
【００６９】
従って、液晶層４０の想定される望ましいリタデーション△ｎｄの範囲（３００ｎｍ〜３９０ｎｍ）に対して、照明光の波長λが特定される場合は、その波長λの値に応じた定数ａ，ｂ，ｃによって、それぞれのリタデーション△ｎｄに対応する係数ｋの値を決定する。その後は、上述するように、ｋ×φｔによって算出されたずれ角度になるように、上下偏光板を貼り付けることで、高いコントラストを得ることができる。
【００７０】
なお、照明光において複数の異なる波長が含まれるなど、波長λが特定されない場合は、定数ａは約「３１９」以上、定数ｂは約「−０．１３２」以上で約「−０．０１９」以下、定数ｃは約「１．０５」以上で約「３．１９」以下、の範囲におけるいずれかの値をそれぞれ用いて、それぞれのリタデーション△ｎｄに対応する係数ｋの値を決定する。その後は、同様にｋ×φｔによって算出されたずれ角度になるように、上下偏光板を貼り付けることで、高いコントラストを得ることができる。
【００７１】
このように、本実施例の液晶装置１００における上下偏光板の貼り付け方法によれば、配向膜１９と配向膜３９との間における配向軸方向のずれに伴って液晶層４０に生ずる液晶のツイストに起因して発生する黒表示の光漏れを、配向軸のずれ角度よりも大きなずれ角度を有する上下偏光板によって抑制することができる。この結果、コントラストの低下を抑制することができるのである。なお、本実施例においては、上偏光板６０が請求項記載の第１の偏光板に相当し、下偏光板５０が請求項記載の第２の偏光板に相当する。また、配向膜３９が請求項記載の第１の配向膜に相当し、配向膜１９が請求項記載の第２の配向膜に相当する。
【００７２】
以上、本発明の実施の形態について実施例により説明したが、本発明はこうした実施例に何ら限定されるものではなく、本発明の趣旨を逸脱しない範囲内において様々な形態で実施し得ることは勿論である。以下、変形例をあげて説明する。
【００７３】
（第１変形例）
上記実施例では、係数ｋの値を式（１）を用いて算出して決定する際、照明光に複数の波長が存在する場合は、波長に応じて定数ａ、定数ｂ、定数ｃがそれぞれ異なるために、係数ｋは複数の値が算出される。しかしながら、最終的に貼り付ける上下偏光板間のずらし角度は一つになるため、係数ｋの値も一つにする必要がある。そこで、本変形例では、係数ｋの値を、実用性を考慮した最も好ましい１つの値に決定する。こうすれば、係数ｋの算出に伴う演算負荷を軽減することもできる。
【００７４】
上記実施例において説明したように、波長４７０ｎｍから波長６５０ｎｍの間において、各波長に対する視感度は異なる（図８参照）。そこで、本変形例では、図１０に示したように、各リタデーション△ｎｄと各波長λについて式（１）で算出された係数ｋの値に対して、光源９０が有する波長のスペクトル強度と比視感度を掛け合わせることで重み付けを行う。そして、液晶層４０の各リタデーション△ｎｄについて、重み付けされた係数ｋの値の平均値を算出し、算出された平均値を、それぞれのリタデーション△ｎｄに応じた１つの係数ｋの値とする。
【００７５】
一例として、液晶層４０の屈折率異方性△ｎ＝０．１、厚さｄ＝３．６μｍ、すなわちリタデーション△ｎｄ＝３６０ｎｍにおいて、ＬＥＤ光源に対応する係数ｋの平均値は、ＬＥＤ光源のスペクトル強度によって変化するものの、おおよそ「２．１３〜２．１５」と算出される。ちなみに波長λ＝５５５ｎｍの単色光源では、ｋ＝１．９７である（図７参照）。
【００７６】
更に本変形例では、実用上想定される総てのリタデーション△ｎｄの範囲に共通して用いる１つの係数ｋの値の最大値を決定する。具体的には、それぞれのリタデーション△ｎｄの値に応じて算出された１つの係数ｋの値の平均を求め、求めた平均値のうちの最大値とするのである。本変形例では、ＬＥＤ光源を用い、液晶層４０のリタデーション△ｎｄが３００ｎｍ〜３９０ｎｍの範囲において、係数ｋの最大値は「７．５」と算出される。
【００７７】
前述するように、液晶層４０を挟む配向軸ＨＤ１と配向軸ＨＤ３との角度ずれによって液晶層４０がねじれている場合、ジョーンズ行列法によって計算された偏光板の最適なずらし角は、液晶層４０のツイスト角、つまり配向軸ＨＤ１と配向軸ＨＤ３との間の角度φｔにほぼ比例し、その比例係数が係数ｋであった。そこで、実際に、複数のツイスト角についてジョーンズ行列法によって最適な偏光板間のずらし角を計算して求めた。その結果を、図１１に示す。
【００７８】
図１１は、ＬＥＤ光源であってリタデーション△ｎｄが３００ｎｍ〜３９０ｎｍの全範囲における偏光板間の最適なずらし角度とツイスト角度との関係を示したグラフである。なお、参考として、ＬＥＤ光源であってリタデーション△ｎｄが３６０ｎｍにおける偏光板間の最適なずらし角度とツイスト角度との関係、および波長が５５０ｎｍの単色光源であってリタデーション△ｎｄが３６０ｎｍにおける偏光板間の最適なずらし角度とツイスト角度との関係も示した。
【００７９】
図示するように、液晶層のツイスト角度と偏光板間のずらし角度はほぼ比例関係にあることがわかる。従って、ツイスト角度φｔのｋ倍を、上下偏光板間におけるずらし角度とすることによって、黒表示の光漏れが抑制され高コントラストの表示が得られるのである。
【００８０】
ところで、配向軸はラビング装置を用いて配向膜をラビングすることによって形成される。そこで、配向軸ＨＤ１と配向軸ＨＤ３との間に生じる角度ずれについて考察する。角度ずれの原因としては、ラビング装置の機械精度（ラビングロール、基板吸着ステージ角度など）、ラビング布のパイル倒れこみ方向、および素子基板１０と対向基板３０の貼り合わせ時の組ずれ、などによって生じ、実際に生ずる配向軸間のずれ角度は、最大１度であると考えて差し支えないことが判明した。
【００８１】
そこで、本変形例では、液晶層４０に生ずるツイスト角度φｔは１度であるものとする。従って、最大値として算出された係数ｋは上述の如く「７．５」であり、液晶層のツイスト角度φｔが１度であるので、偏光板間のずらし角度は、ｋ×φｔ＝７．５度となる。この結果、ＬＥＤ光源を用い、液晶層４０のリタデーション△ｎｄが３００ｎｍ〜３９０ｎｍの範囲において、上下偏光板間のずらし角度を「７．５度」以下とすれば、実際の液晶装置１００において、黒表示の光漏れが抑制され高コントラストの表示が得られる確率が高くなるのである。
【００８２】
ちなみに、上記実施例において図５で説明した例は、液晶層のツイスト角度φｔが「１度」で、係数ｋの値が「２」である場合（例えば、上述したＬＥＤ光源でリタデーション△ｎｄ＝３６０ｎｍの場合におおよそ近い場合）の一例を示していることになる。
【００８３】
（第２変形例）
上記実施例では、液晶装置１００は、画素Ｓの領域において透過型の表示を行う表示装置であるものとして説明したが、特にこれに限るものでなく、画素Ｓの領域に、透過表示領域に加えて、対向基板３０側から入射する太陽光などの外光を反射する反射表示領域が設けられている所謂半透過反射型の表示装置であることとしてもよい。こうすれば、外光が明るい環境下でも、画素Ｓの表示を視認することができる。
【００８４】
本変形例の液晶装置１００の構成を図１２および図１３を用いて説明する。図１２は１つの画素Ｓに関する構成を示した平面図で、対向基板３０側から見た素子基板１０を、対向基板３０を透視状態で図示している。また、図１３は、画素Ｓの周辺構成を示した断面図である。なお、図１２は上記実施例における図２に対応し、図１３は上記実施例における図３に対応している。従って、同じ機能を司る構成部品については、同じ符号を付し、それらの説明については適宜省略する。
【００８５】
さて、図１２に示したように、本変形例の液晶装置１００は、画素Ｓにおいて、図中ハッチングで示した図面下側の領域部分を反射表示領域Ｒとし、その他の領域部分を透過表示領域Ｔとしている。従って、本変形例の液晶装置１００は、このように画素Ｓの領域に反射表示領域Ｒを形成することによって外光が明るい環境下において表示内容が容易に視認出来るとともに、透過表示領域Ｔにおいて黒表示の光漏れを抑制するので、屋内および屋外を問わず、高コントラストの表示を提供することができる液晶装置である。
【００８６】
次に、本変形例の液晶装置１００に形成された画素Ｓの構成について、図１３に示した断面図を用いて詳しく説明する。図１３は、図１２におけるＢ−Ｂ断面を示した模式図である。図示するように、液晶装置１００は、素子基板１０と対向基板３０とによって液晶層４０を挟持した構成を有している。
【００８７】
まず、対向基板３０について説明する。本変形例では、上記本実施例と異なり、対向基板３０には、反射表示領域Ｒに相当する部分において、オーバーコート層３４と配向膜３９との間に位相差板３５が配置形成されたものである。
【００８８】
位相差板３５は、例えば、複屈折性を有する光硬化性材料が所定の方向に配向された状態で硬化されて遅相軸が形成され、入射される外光に対し所定の位相差（１／２波長）を付与するように構成されている。また、位相差板３５は、自身の厚さにより、反射表示領域Ｒと透過表示領域Ｔとにおいて液晶層４０の層厚を異ならせる液晶層厚調整部材としての役割も果たしている。なお、位相差板３５は、ここでは説明は省略するが、反射表示領域Ｒと透過表示領域Ｔとにおける表示（本変形例ではノーマリーブラック表示）を同等にするために、反射表示領域Ｒに大抵形成される。
【００８９】
次に、素子基板１０について説明する。本変形例では、上記実施例とは異なり、素子基板１０には、反射表示領域Ｒに相当する部分において、共通電極１３と平坦化層１７との間に反射層１７Ｒが形成されている。反射層１７Ｒは、例えばアルミニウムやアルミニウムと銅、あるいはアルミニウムとネオジムの合金やＡＰＣ（銀−パラジウム−銅の合金）などの材料が用いられる。また、反射層１７Ｒの表面は、必要に応じて凹凸が形成されている。
【００９０】
反射層１７Ｒは、対向基板３０側から入射する外光を反射（乱反射）して対向基板３０側に戻すことによって、画素Ｓにおいて外光を利用した表示を行うように設けられているのである。従って、透過表示領域Ｔは、光が液晶層４０を一回通過して表示を行うのに対して、反射表示領域Ｒは、光が液晶層４０を２回通過する、言い換えれば上偏光板６０を２回通過することによって表示を行うことになる。
【００９１】
さて、このように画素Ｓに設けた反射表示領域Ｒにおいて、上記実施例のように透過表示領域Ｔにおける黒表示の光漏れを抑制するべく、上下それぞれの偏光板の貼り付け角度をずらして貼り付けたとき、反射表示領域Ｒにおいては、上偏光板６０の角度がずれる。従って、反射表示領域Ｒにおいて、貼り付け角度がずれた上偏光板６０を２回通過する光が、黒表示にどのような影響を与えるかを調べてみた。
【００９２】
図１４は、上偏光板６０のずれ角度に対する黒表示時の反射率を、照明光の波長λが「５５０ｎｍ」であってツイスト角度が「０度」と「１度」の場合について、前述のジョーンズ行列法などによって計算した結果を示したグラフである。なお、照明光に対して、位相差板３５は、遅層軸角度２２．５度で１／２波長の位相差を与え、液晶層４０は１／４波長の位相差を与えるものとしている。
【００９３】
図示するように、液晶層４０に「１度」のツイストがある場合において、反射率が最も小さくなる位置、つまり上偏光板６０の最適なずれ角度は負の方向（反時計方向）にシフトしていることがわかる。これは、上記実施例における図５で説明したように、透過表示領域Ｔにおける上偏光板６０のずらし方向と同一方向である。従って、半透過反射型の表示装置である本変形例の液晶装置１００においても、透過表示について黒表示の光漏れを抑制するべく上偏光板をずらして貼り付けることによって、反射表示においても反射率の上昇を抑制する効果が期待できる。この結果、本変形例のように半透過反射型の液晶装置１００においても、コントラストの高い表示を得ることが可能である。
【００９４】
（第３変形例）
上記実施例の液晶装置１００あるいは上記変形例の液晶装置１００を表示装置として組み込んだ電子機器としてもよい。こうすれば、黒表示の光漏れを抑制することによって、コントラストの低下が抑制された表示を行うことができる電子機器を提供することができる。
【００９５】
図１５は、上記実施例および上記変形例の液晶装置１００を搭載した電子機器としての携帯電話１を示した説明図である。液晶装置１００は、２枚の基板に挟持された液晶層に対して基板と略平行な方向となる横電界を印加して駆動する横電界駆動方式の液晶装置であり、視野角が広くまたバックライトを含めても薄型化が可能であることから、画像や文字を表示する薄型の電子機器には好適な装置である。従って、携帯電話１に搭載する表示装置として有効である。特に、上記変形例の液晶装置１００は、外光を利用してコントラストのよい表示を行うこともできるので、屋内以外に屋外においても利用できることから、携帯電話１をはじめとする可搬型の電子機器に有効である。もとより、携帯電話に限らず、デジタルカメラやモバイルコンピューターなど、他の電子機器においても搭載可能である。
【００９６】
（その他の変形例）
上記実施例では、液晶装置１００は、配向膜１９の配向軸ＨＤ１と配向膜３９の配向軸ＨＤ３の方向とを、下偏光板５０の吸収軸φａ１に沿う方向としたが、これに限らず、例えば、配向膜１９の配向軸ＨＤ１と配向膜３９の配向軸ＨＤ３の方向とを、下偏光板５０の透過軸φｐ１に沿う方向としてもよい。上記実施例では、液晶分子の長軸方向と直交する方向の光（常光）を利用して表示するモードであるが、液晶分子の長軸方向の光（異常光）を利用して表示するモードであっても、照明光が射出する側の偏光板の透過軸が、照明光が入射する側の偏光板の透過軸と略直交する配置であれば、同様に黒表示が得られる。従って、上記実施例および変形例の如く上下偏光板をずらして貼り付けることによって同様な効果を奏する。なお、本変形例においては、下偏光板５０が請求項記載の第１の偏光板に相当し、上偏光板６０が請求項記載の第２の偏光板に相当する。また、配向膜１９が請求項記載の第１の配向膜に相当し、配向膜３９が請求項記載の第２の配向膜に相当する。
【００９７】
また、上記実施例では光源９０としてＬＥＤ光源を用いることとしたが、これに限るものでないことは勿論である。例えば、通常液晶装置の光源として多用されている冷陰極管（ＣＣＦＬ）を用いることもできる。例えば、冷陰極管について算出される係数ｋの平均値は、リタデーション△ｎｄが３６０ｎｍにおいて凡そｋ＝２．１３であり、市販されているＬＥＤ光源（例えば、日亜化学工業製の擬似白色ＬＥＤや、シャープ製ＲＧ蛍光体ＬＥＤ）について算出される係数ｋの平均値（ｋ＝２．１３３〜２．１４５）とおおよそ同じ値を呈するからである。
【００９８】
あるいは、上記実施例では液晶装置１００は光源９０を含むバックライトを備えることとしたが、特にこれに限るものでないことは勿論である。バックライト（光源）を備えないこととしても差し支えない。例えば、光源として外光を利用する場合が考えられる。この場合は、バックライトが不要であり、液晶装置１００も薄型化が図れるという効果を奏する。あるいは、液晶装置１００をプロジェクターのライトバルブとして用いる場合も考えられ、この場合はもとより液晶装置１００には光源は不要である。
【００９９】
また、上記実施例では、配向軸ＨＤ１と配向軸ＨＤ３とが成す鋭角である角度「φｔ」の２等分線ＣＬを基準として、角度「ｋ×φｔ／２」分それぞれ両側に開いた２つの方向を、上偏光板６０の透過軸φｐ３と下偏光板５０の吸収軸φａ１の方向としたが、必ずしもこれに限るものでないことは勿論である。少なくとも角度φｔが、上偏光板の透過軸φｐ３と下偏光板の吸収軸φａ１とが成す鋭角内に存在することとしてもよい。具体的には、上偏光板６０の透過軸φｐ３の方向は、角度φｔを広げる方向つまり配向軸ＨＤ３に対して反時計方向に位置し、下偏光板５０の透過軸φｐ１の方向は、角度φｔを広げる方向つまり配向軸ＨＤ１に対して時計方向に位置する範囲で、上偏光板６０、下偏光板５０をそれぞれ貼り付けるようにすればよい。上記実施例の場合よりも効果は少なくなることが想定されるものの、黒表示における光漏れを抑制することが可能である。
【０１００】
また、上記実施例では、素子基板１０に形成した画素電極１１と共通電極１３との間に電圧を印加し、液晶層４０に対して素子基板１０に平行な方向の電界を発生させて液晶分子の配向制御を行うＦＦＳ（Fringe-Field Switching）方式の液晶装置であるものとして説明したが、これに限るものでないことは勿論である。上述したように、ＩＰＳ（In-Plane Switching）方式など）としてもよい。なお、周知なように、ＩＰＳ方式の液晶装置の場合は、ＦＦＳ方式とは異なり、画素電極および共通電極はそれぞれ櫛歯形状を呈し、それぞれの櫛歯部分が互いに平面的に重ならないように、所定の隙間をあけて形成される。
【０１０１】
あるいは、図示しないが、共通電極１３を対向基板３０側に形成し、素子基板１０に形成した画素電極１１と、対向基板３０に形成した共通電極１３との間に電界を印加する縦電界方式（例えば、ＶＡ（Vertical Alignment）方式など）においても、上述した黒表示における光漏れが生ずる場合は適用してもよいことは勿論である。
【図面の簡単な説明】
【０１０２】
【図１】本発明の一実施例となる液晶装置について模式的に示した説明図。
【図２】本実施例の液晶装置における画素に関する構成を示した平面図。
【図３】本実施例の液晶装置における画素の構成についての部分断面図。
【図４】配向軸の方向と偏光板の透過軸と吸収軸との関係を示す図で、（ａ）は斜視図、（ｂ）は各軸を重ねた平面図。
【図５】コントラストコンター図で、（ａ）は配向軸間にずれが無い場合の偏光板の最適な方向を示す図、（ｂ）は配向軸間にずれが有る場合の偏光板の最適な方向を示す図。
【図６】（ａ）はリタデーションと透過率との関係を示すグラフ、（ｂ）はリタデーションと動画表示の評価結果を示すテーブル。
【図７】照明光の波長とリタデーションとについて求めた係数ｋの値を示す一覧図。
【図８】視感度特性を示す図。
【図９】係数ｋを求めるフィッティング式における定数の値を示す説明図。
【図１０】係数ｋの平均値を求めるときの重み付けに関する説明図。
【図１１】第１変形例で、ツイスト角と計算された最適な偏光板のずれ角度を示す説明図。
【図１２】第２変形例で、液晶装置における画素に関する構成を示した平面図。
【図１３】第２変形例で、液晶装置における画素の構成についての部分断面図。
【図１４】第２変形例で、上偏光板のずれ角度と反射率の関係を示す説明図。
【図１５】第３変形例で、液晶装置を備えた電子機器の一例となる携帯電話を示す図。
【符号の説明】
【０１０３】
１…携帯電話、１０…素子基板、１１…画素電極、１３…共通電極、１４…平板、１５…ゲート絶縁層、１６…層間絶縁層、１７…平坦化層、１７Ｒ…反射層、１８…絶縁層、１９…配向膜、２０…薄膜トランジスター、２０ａ…半導体層、２０ｄ…ドレイン電極、２０ｇ…ゲート電極、２０ｓ…ソース電極、３０…対向基板、３１…平板、３２…遮光層、３３…フィルター層、３４…オーバーコート層、３５…位相差板、３９…配向膜、４０…液晶層、５０…下偏光板、６０…上偏光板、９０…光源、９１…導光部材、１００…液晶装置、１１０…データ駆動回路、１１１…データ線、１２０…走査駆動回路、１２１…走査線、１３０…電極端子、１３１…共通配線。
【図１】
2010139803.tif 000003
【図２】
2010139803.tif 000004
【図３】
2010139803.tif 000005
【図４】
2010139803.tif 000006
【図５】
2010139803.tif 000007
【図６】
2010139803.tif 000008
【図７】
2010139803.tif 000009
【図８】
2010139803.tif 000010
【図９】
2010139803.tif 000011
【図１０】
2010139803.tif 000012
【図１１】
2010139803.tif 000013
【図１２】
2010139803.tif 000014
【図１３】
2010139803.tif 000015
【図１４】
2010139803.tif 000016
【図１５】
2010139803.tif 000017